(57)【特許請求の範囲】
【請求項１】
試料の特性を非破壊計測する方法であって、
試料の物理特性を第一周波数で変調させるように、ポンプビームの強度が少なくとも第一変調周波数で変化する少なくとも一つの輻射のポンプビームを試料の表面領域に供給するステップと、
プローブビームを試料により，第一周波数で変調させるように輻射の偏光されたプローブビームを指向させるステップと、
少なくとも第二周波数でプローブビーム中の輻射の偏光状態を変調させるステップと、  試料により変調されていて、少なくとも第二周波数で変調されているプローブビームからの輻射に応答し、第一周波数と第二周波数の差、および前記第一周波数と第二周波数の各高調波の任意の組合せにおける差に実質的に等しいものに関連する情報を提供するステップと、
前記情報から試料の一つまたはそれ以上の楕円偏光パラメータの変化を導くステップと、
を含む方法。
【請求項２】
請求項１記載の方法において、
前記試料は、ドーパントをドープして変更された半導体構造を有し、前記方法は、
表面の楕円偏光パラメータの変化からドーパントの濃度を決定するステップと、
互いに独立して行われる二つの計測で、試料の屈折率の情報を計測するステップと、
をさらに含む方法。
【請求項３】
試料の特性を非破壊計測する装置であって、
試料の物理特性を第一周波数で変調させるように、ポンプビームの強度が少なくとも第一変調周波数で変化する少なくとも一つの輻射のポンプビームを試料の表面領域に供給する第一線源と、
プローブビームを第一周波数で試料により変調させるように輻射の偏光されたプローブビームを供給する第二線源と、
少なくとも第二周波数でプローブビーム中の輻射の偏光状態を変調させる変調器と、
試料により変調されていて、少なくとも第二周波数で変調されているプローブビームからの輻射を検出して出力を提供する検出器と、
前記出力から第一周波数と第二周波数の差、および前記第一周波数と第二周波数の各高調波の任意の組合せにおける差に実質的に等しいものに関連する情報と、
前記情報から試料の一つまたはそれ以上の楕円偏光パラメータの変化とを導くプロセッサと、
を備える装置。
【請求項４】
請求項３記載の装置において、
前記試料は、ドーパントをドープして変更された半導体構造を有し、
前記プロセッサは、表面の楕円偏光パラメータの変化からドーパントの濃度を決定し、 前記装置は、試料の屈折率の情報を計測する装置をさらに備える装置。
【発明の詳細な説明】
【０００１】
【発明の属する技術分野】
本発明は、一般に試料の計測に係わり、特に試料の特性を非破壊的に計測するためのシステムに係わる。この発明は半導体材料のドーパントの照射線量を非破壊計測するのに特に有効である。
【０００２】
【従来の技術】
半導体製造では、処理中あるいは処理後にウェハのような試料中の半導体材料の特性に関する情報を得ることが往々望ましい。例えば、シリコンのような半導体材料中のドーパントの照射線量の指標を得ることが望ましい。
【０００３】
照射線量を計測する一つのシステムは米国特許第４，９５２，０６３号明細書に提案されている。この特許に記載されているように、試料表面の一点に強度変調した光のポンプビームを集束させて材料を周期的に局所加熱させて熱波を発生する。ポンプビームにより生じる屈折率の変化を検知するため、試料表面の一点にプローブビームを指向させる。試料の反射率を検出するため、検出器の出力を処理してポンプビームの変調に同期している反射光信号を解析する。その時、このような反射率計測はドーパント濃度、残留堆積物および試料の欠陥を計測するために使用される。
【０００４】
米国特許第４，９５２，０６３号明細書に記載されているシステムはある種の照射線量計測に有効であるが、このシステムには多くの難点がある。従って、あるドーパント濃度に対して、計測された反射率の変化はドーパント濃度の種々の値に対応しているので、ドーパント濃度は反射率の変化から一義的に特定できない。反射率の変化はあるドーパント濃度に対して計測するのには小さ過ぎる。
【０００５】
高い照射線量で欠陥の分布を計測するため分光楕円偏光法を使用する。低い照射線量で注入されたウェハには分光楕円偏光法は適切ではない。
【０００６】
米国特許第５，５３６，９３６号明細書では、試料の励起がある場合とない場合の試料の楕円偏光パラメータ値を計測するために分光楕円偏光法を使用している。しかし、米国特許第５，５３６，９３６号明細書の技術は試料の励起による楕円偏光パラメータの変化を計測するのに適した感度に欠けている。
【０００７】
上記のシステムのいずれも完全に満足なものではない。従って、上記で述べた困難あるいは難点を回避した試料を非破壊計測する改良されたシステムを提供することが望ましい。
【０００８】
【課題を解決するための手段】
上記述べたように、試料へポンプビームの輻射を供給すると、試料によりこのビームのエネルギーが吸収され、試料の物理特性を変化させる。試料の物理特性の変化は試料の楕円偏光パラメータを変化させる。ポンプビームにより試料の一つまたはそれ以上の楕円偏光パラメータの変化を検出することにより、試料の物理特性を計測できる。計測感度を高めるためポンプビームを第一周波数で変調させる。従って、試料の物理特性も第一周波数で変調されている。偏光されたプローブビームを試料に送り、この試料によりこのプローブビームが変化することによって変更されたビームが提供される。ポンプビームを第一周波数で変調しているところでは、プローブビームも試料によりそのような周波数で変調されることになる。プローブビームの輻射の偏光状態は検出の前に第二周波数で変調される。変更されたビームを検出して出力を与える。この出力を処理して第一周波数と第二周波数の間、またはどんな組み合わせであれ高調波の間の差にほぼ一致する周波数の信号に関連する情報または指標を提供する。一つまたはそれ以上の楕円偏光パラメータの変化をそのような情報または指標から導く。そのような変化は試料の物理特性の目安となる。検出した出力信号から異なった周波数の信号の情報を導くことにより、本発明の技術はポンプビームによる試料の一つまたはそれ以上の楕円偏光パラメータの計測可能な変化を得るのに適当な感度を提供する。
【０００９】
本発明の関連する態様では、半導体ウェハ中のドーパントの照射線量やそのようなドーパントの分布を計測したり、同じ機器でウェハの膜厚および／または屈折率の情報も計測するのに望ましい。好ましくは、この機器がウェハ内のドーパントの照射線量を計測する装置とウェハの膜厚および／または屈折率の情報を計測する第二装置を含む。
【００１０】
【発明の実施の形態】
記載を簡略にするため、本願では同じ部品には同じ参照番号を付けている。
【００１１】
図１は、本発明の好適な実施例を示す半導体ウェハのような試料の物理特性を非破壊的に計測する楕円偏光計の模式図である。図１に示すように、システム１０にはポンプビームを発生する第一線源がある。この線源により発生したポンプビームがウェハのある領域で吸収されると、その領域の温度が上昇し、表面温度の上昇がその表面の複素屈折率を変化させる。ウェハを注入処理によるようにドーパントでドープすると、表面領域でのウェハの熱損失特性はウェハの損傷を受けた層の照射線量や注入分布に依存する。そのような熱損失特性は、結局、ウェハ表面の温度変化や表面の複素屈折率の変化を決める。上記の効果は "A New Method of Photothermal Displacement Measurement by Laser Interferometric Probe, Its Mechanism and Applications to Evaluation of Lattice Damage in Semiconductors", S. Sumie et al., Jpn. J. Appl. Phys. Vol. 31 (1992), pp. 3575-3583 （レーザ干渉プローブによる光熱変位計測の新しい方法、その機構と半導体の格子欠陥の評価への応用）により詳しく説明されている。複素屈折率が変化すると、試料１２の楕円偏光パラメータが変化する。システム１０はそのような変化を調べるためのプローブビームを提供する。
【００１２】
赤外レーザ１４によりポンプビーム１６を発生させる。音響光学変調器１８によりビーム１６を周波数ωa で変調させる。レーザ１４からの第一次変調ビームを鏡２０により反射させ、半導体ウェハである試料１２のスポット１２ａへ向かうポンプビーム２４にレンズ２２により集束させる。上記述べたように、ポンプビーム２４からのエネルギーを吸収すると試料のスポット１２ａの屈折率が変化する。これは、結局、スポット１２ａで試料１２の楕円偏光パラメータを変化させることになる。楕円偏光パラメータの変化は（例えばイオン注入での）ドーパントの照射線量、あるいは試料中の他の不純物や欠陥のような試料１２の物理特性を示している。試料の楕円偏光パラメータは試料１２中の構造の変化に左右される。試料１２がドープされた半導体ウェハであるなら、例えば、楕円偏光パラメータの変化は構造体の中に異種材料を導入して生じる半導体材料の結晶構造の変化を示している。試料構造の変化がドーピングにより生じるなら、試料の構造の変化度に対する目安は間接的にドーパントの濃度を示す。イオン注入によりドーピングを行うなら、そのような変化は試料中の注入照射線量を示すであろう。周波数ωa で変調されたポンプビームにより、試料の物理特性と、従って、楕円偏光パラメータもそのような周波数で変調されることになる。従って、プローブビームもこの周波数ωa で試料により変調されるであろう。
【００１３】
ポンプビーム２４は連続ビームであるか、あるいは一連のポンプパルスから成る。ポンプビーム２４が連続的であれば、変調器１８はビーム強度を周波数ωa で変調する。ポンプビームがポンプパルスの連続的な流れであるなら、変調器１８はこの流れを二つの方法により周波数ωa で変調する。ビーム１６のパルスの連続的な流れが変調されるので、多数のパルスはバーストとして通過する。ここではそのようなポンプパルスのバーストは周波数ωa の間隔で送られる。この代わりに、ポンプビーム２４は強度が周波数ωa で変調されるポンプパルスの連続的な流れとなるように変調される。何れの場合でも、周波数領域内に両方の変調方法が同じ変調周波数成分を導入する。
【００１４】
熱波長λはポンプビームによる熱波の熱透過の目安となる。波長λは以下の式によって変調周波数ωa の平方根に逆比例する。
0004579423.tif 000002
ここで、Ｄは試料への材料の拡散度である。上記式から、変調周波数ωa がポンプビーム２４により生じる熱波の透過の深さを決めることが分かる。従って、変調周波数ωa を可変して、試料１２の試料構造の分布を決める深さを変えたり選択できたりできる。変調器１８を通過する零次のビームはビームダンプ２６により捕集される。
【００１５】
上記説明したように、ポンプビーム２４のエネルギーはスポット１２ａで試料１２により吸収されるなら、そのようなスポットで試料材料の屈折率もこの周波数で変化するので、この試料の楕円偏光パラメータもこの周波数に従って影響される。
【００１６】
レーザ４２から供給されるプローブビームで楕円偏光パラメータの変化を調べる。レーザ４２からのビームは直線偏光子４４を通過し、光弾性変調器（ＰＥＭ）４６によりωm で変調され、主に試料のスポット１２ａにプローブビーム５０としてレンズ４８により集束する。
【００１７】
試料１２により反射したプローブビーム５０の輻射は捕集レンズ６２により捕集され、検光子６４を通過し、帯域通過フィルタ６６を通過して検出器６８に達する。偏光計測で普通のように、偏光子４４と検光子６４がいずれも計測中に回転する。フィルタ６６はプローブレーザ４２の波長のところあるいはその近くの波長の輻射をほぼ通過させ、ポンプレーザ１４から赤外領域の輻射を阻止し、ＳＮ比を改善する。検出器６８の出力は、３つのフィルタ７２、７４、７６へ入力される。これら３つのフィルタの出力は演算処理用の中央演算ユニット８０へ供給される。図１の実施例では、試料１２から反射した輻射を検出すると想定されている。しかし、試料１２が光を通すなら、試料１２を通過した光はその代わりに検出器６８により検出さることが分かる。そのような変形例や他の変形例は本発明の範囲内にある。
【００１８】
本発明は検出感度が二つの変調周波数ωa とωm の間、またはどんな組み合わせであれ両周波数の高調波の間の差周波数を検出することにより大きく改善され得るという観察に基づく。楕円偏光パラメータの変化を検出するには適当な感度を欠く米国特許第５，５３６，９３６号明細書の装置とは異なり、図１に示す技術はそのような変化を検出し、そのような変化から試料１２中のドーパントの照射線量を導く適当な独立した情報を提供する。
【００１９】
好適な実施例では、フィルタ７２は検出器６８の出力の直流（ＤＣ）成分を通す。フィルタ７４は周波数ωm−ωa の信号成分のみを実質上通すような帯域幅を持っている。そして、帯域通過フィルタ７６は出力の周波数２ωm−ωa の信号成分のみを実質上通す。従って、フィルタ７２の出力はＩDCである。フィルタ７４と７６の出力はそれぞれ
0004579423.tif 000003
である。
【００２０】
ポンプレーザビーム２４はウェハの表面温度を変調し、これは、結局、ウェハ表面のｓ偏光とｐ偏光の複素屈折率と反射係数ｒs 、ｒp を変化させる。即ち、
0004579423.tif 000004
ここで、ｍp 、ｍs は変調されたポンプ強度に比例する変調指数である。楕円偏光パラメータΨとΔは、
0004579423.tif 000005
で定義される。ｍp 、ｍs が１より相当小さいなら、第一近似で、楕円偏光パラメータの変化は、
0004579423.tif 000006
となる。量δｔａｎΨとδΔはポンプビームで生じる試料の楕円偏光パラメータにおける周波数ωa の変化のフーリエ係数であることが分かるであろう。変調器１８で変調されるもの以外の試料による吸収された出力の変動は式（４）のｍp 、ｍs を変化させる。従って、式（４）の用途のために、吸収された出力が変調器１８によりのみ変調されると想定される。つまり、吸収された出力の変化を与える他の要因の少なくとも幾つかの望ましくない効果は、ポンプビームの強度における変化の効果のようなを較正をすることにより当業者に周知の方法で除去できることが分かるが、ここではそれには立ち入らない。ＤＣ，ωa ，ωm −ωa と２ωm −ωa での検出器信号成分は、
0004579423.tif 000007
となる。ここで、Ｆはシステム応答関数である。ＤＣ項で検出器信号を規格化するとこのシステム応答関数Ｆを除去できる。即ち、
0004579423.tif 000008
検出器信号がシステム応答関数Ｆへの依存性を除去するため適当な情報を提供するという事実は、本願発明に特有な一つの利点である。これはシステム１０が自己較正的であることを意味し、システム１０を較正するため付加的な校正過程や較正装置を必要としない。式（６）の第１および第３の式はＲｅ（ｍp −ｍs ）に関して同じ情報を提供するので、２つの式の一方しか必要でない。式（６）中の式のうち、高調波の周波数に相違のある係数を含む二つの線形独立な式のみが楕円偏光パラメータの変化を求めるために必要である。式（６）の第１および第３の式のうち
0004579423.tif 000009
に対する式を改善されたＳＮ比のために選ぶ。なぜなら、ポンプ変調周波数ωa での信号が検出過程で検出器へ漏れるからである。明らかに、式（６）のものより次数の高い高調波の間の差の係数は、濾波してその代わりに演算処理でき、本発明の範囲内にある。ΨとΔは楕円偏光パラメータによって表せる。即ち、
0004579423.tif 000010
または
0004579423.tif 000011
楕円偏光パラメータのポンプにより生じる変化は規格化された信号によって表せる。即ち、
0004579423.tif 000012
上記から、二つの楕円偏光パラメータの変化δｔａｎΨとδΔはフィルタ７２、７４と７６の出力から得られることが分かる。楕円偏光パラメータの変化δｔａｎΨとδΔの異なった値を得るため、システム１０を使用し、異なった既知の注入照射線量で多数の較正ウェハを計測すれば、特別な種類のドーパントの各々に対してイオン注入の既知の照射線量と楕円偏光パラメータの変化とを関連付けてルックアップテーブルを編纂できる。そうすると、上記述べたように、楕円偏光パラメータの変化δｔａｎΨとδΔを得るためシステム１０を使用して未知の照射線量の特別なドーパントでドープされた試料１２を計測すれば、そのような種類のドーパントに対して既に編纂されたルックアップテーブルを用いて、試料１２中のドーパントの照射線量を一義的に決定できる。
【００２１】
上記説明した処理や計算は信号処理フローチャートである図２に示すように実行できる。図２に示すように、検出器６８の出力は並列に置かれた三つのフィルタを通過し、これらのフィルタの出力はプロセッサ８０に供給される。プロセッサ８０は、三つのフィルタの出力を用いて上記計算を行い、図２に示すように、δｔａｎΨとδΔを得る。
【００２２】
図３は、本発明を示す照射線量の関数にしてｔａｎΨとΔの変化をグラフ表示したものである。図３で示すように、ｔａｎΨまたはΔの同じ変化は照射線量の一つ以上の値に対応する。しかし、Δの変化とｔａｎΨの変化の両方を計測すれば、照射線量に対して単一の値を決定できる。図３は試料１２に燐を４０ｋｅＶで注入した時のｔａｎΨとΔの変化を示す。図３にも照射線量の関数にして試料１２の反射率Ｒの変化が示してある。
【００２３】
図４は照射線量の関数にしてｔａｎΨとΔおよび反射率Ｒの変化をグラフ表示したものである。ここでは、ドーパントは１００ｋｅＶで注入された砒素である。図４から分かるように、砒素に対する反射率δＲは５×１０13／ｃｍ2 の周りで多値の関数となるから、反射率の同じ変化が照射線量の二つの異なった値に対応する。従って、図４はある範囲の照射線量で米国特許第４，９５２，０６３号明細書のように、反射率の変化のみを計測しても、反射率の変化の値に相当する照射線量には一つ以上の値があるので、反射率の変化を計測して照射線量の値を一義的に特定できないことを明確に示している。これはｔａｎΨとΔの両方の変化を計測して照射線量の値を一義的に特定できる本発明の例ではない。図５はドーパントが６０ｋｅＶの弗化硼素である場合のｔａｎΨとΔおよび反射率Ｒの変化を示す。図６はドーパントが１００ｋｅＶの硼素である場合のｔａｎΨとΔおよび反射率Ｒの変化を示す。
【００２４】
上記説明したフィルタ７２、７４と７６の周波数で検出することは望ましいけれども、他の周波数での計測も同じような情報が発生するので、ドーパントの照射線量を決定するために使用できる。
0004579423.tif 000013
に対する式（５）から分かるように、これら２つの信号成分は同じ情報を含んでいる。従って、２ωm −ωa の信号成分を通過させる代わりに、フィルタ７６は周波数ωa の信号成分を通す。もっとも、２ωm −ωa は恐らくωa よりも低い周波数であり、演算処理がより容易であろう。フィルタ７６のそのような出力をフィルタ７２と７４の変化していない出力と組み合わせてδｔａｎΨとδΔを発生させることができる。さらに、他の実施例では、フィルタ７２、７４と７６の一つまたはそれ以上を省くことができ、ドーパントの照射線量を表示するため、未だ有効な情報を得ることができる。従って、単一フィルタ７４または７６はドーパントの照射線量を決定する応用に対して適切である。この応用で使用されているように、第一周波数および第二周波数の各々の高調波の間の差は第一周波数の整数倍と第二周波数の整数倍との間の差を含む。ここでは第一周波数または第二周波数はそのような周波数の多重倍である。
【００２５】
上記説明したように、ポンプビーム２４により生じた熱波が通過した試料１２の表面下の深さは熱波長に依存し、この波長は、結局のところ、変調器１８により導入された変調周波数に依存する。従って、半導体材料のドープされた構造体のような、構造体の分布を示す深さは変調器１８により導入された変調周波数ωa を変化させて可変できる。プローブビーム５０が多重波長の輻射成分を含めば、上記説明したこれらの成分の周波数での計測はドーパントの照射線量や深さ分布を導くことができる楕円偏光パラメータの変化に対して異なった値を発生するであろう。このため、例えばキセノンアークランプの形をした広帯域の線源のような、多重波長の輻射を供給する輻射源でレーザ４２を置き換える。
【００２６】
広帯域システム１００を図７に示す。図７に示すように、図１のような周波数ωa で変調されたポンプレーザビーム２４は、図１のような試料１２の表面領域１２ａに供給される。プローブレーザを使用する代わりに、キセノンランプ１４２のような白色光源が使用される。線源１４２の輻射を鏡１４４で集束し、偏光子４４で偏光し、周波数ωm でＰＥＭ４６により変調し、好ましくは表面領域１２ａへ指向される。上記説明したように、表面領域１２ａのところにあるあるいはその近くの試料１２の一部がポンプビーム２４により熱的に影響を受けるので、ウェハのそのような部分の物理特性も周波数ωa で変調される。それ故、プローブビーム１５０も同じようにポンプビーム周波数ωa で試料により変調され、そのように変調されたプローブビームは検光子６４を通過し、鏡１５２により反射され、検出器１６０へ集束する。実施例において、検出器１６０はプリズムまたは格子１６２のような回折部材と検出器１６４のアレーを含む分光器である。この代わりに、検出器１６０は波長成分を選択するためモノクロメータを保有していてもよく、その波長成分はそのような成分の強度を検出する検出器へ通される。検出器の出力もしくは検出器のアレーは次に図１のフィルタ７２〜７６のようなフィルタへ供給され、次いで濾波された信号は演算処理を行うプロセッサに供給される。これらのフィルタやプロセッサは図面を簡略化するため図７から省いてある。そのような方式で、楕円偏光パラメータの変化δｔａｎΨとδΔは検出器１６０で検出されている波長成分の各波長について導ける。
【００２７】
他の偏光計測のように、偏光子４４または検光子６４を計測中に回転させる。システム１００では、プローブビーム１５０は固定された偏光子４４により偏光される前に、鏡１４４により集束する。二つの部材の順番を逆にしてもよい。その結果、プローブビーム１５０を最初に偏光子４４により偏光させ、試料の領域１２ａへ鏡１４４で集束させる前にＰＥＭ４６により変調させる。上記説明した方法で、ドーパントの照射線量やドーパントの深さ分布を計算できる。
【００２８】
多くの応用では、同じ条件にして試料の多数のパラメータを計測することが望ましい。従って、試料１２中のドーパントの照射線量を計測することに加えて、試料１２の一つまたはそれ以上の層の厚さおよび／または屈折率を計測することも望ましい。このため、システム１０に加えて、他の楕円偏光計１００を図１に破線で示すように使用できる。こうして、図１に示すように、キセノンランプ１０２のような広帯域の光源は偏光子（図示せず）により偏光され、次いでスポット１２ａに鏡１０６により集束される広帯域の輻射ビーム１０４を供給する。好ましくは、ポンプビーム２４が同じスポットへ供給されない場合、ビーム１０４をスポット１２ａに集束させる。試料１２より反射したビーム１０４の輻射を検光子（図示せず）に通し、鏡１１０と１１２により捕集および／または集束させ、分光器１１４に送る。偏光子または検光子を計測中に回転させる。図面を簡略化するため楕円偏光計に通常使用する偏光子や検光子は図１で省かれている。分光器１１４の出力から、試料１２の一つまたはそれ以上の層の厚さや屈折率をプロセッサ（図示せず）により決定できる。
【００２９】
使用者は、大体のところ、上記説明したようなシステム１０を使用し、照射線量計測の前または後にシステム１００を使用して、厚さおよび／または屈折率の計測を行う。図１に示すようなシステム１０と関連して上記説明したような分光楕円偏光計１００を使用する代わりに、同じ計測を行うためシステム１０と関連して反射率計、旋光計あるいは単一波長の楕円偏光計を代わりに使用できる。
【００３０】
より一般的な配置は図７に概念的に示してある。こうして、システム１０' と付加的な計測装置１００’が、共にドーパントの照射線量と照射線量分布および同じ試料１２の一つまたはそれ以上の層の厚さおよび／または屈折率を計測するため組み合わせた機器を形成する。図７のシステム１０' は図１のシステム１０と同じである。
【００３１】
上記説明したような組み合わせた機器における楕円偏光計または反射率計と関連して図１のシステム１０を使用する代わりに、照射線量を計測するため図７のシステム１０' に対して異なるシステムを使用することも可能である。例えば、米国特許第４，９５２，０６３号明細書に開示されているシステムはそのような計測を実施するため、楕円偏光計、反射率計あるいは旋光計と関連して使用できる。そのような変形種や他の変形種は図７に要約してあり、本発明の範囲内にある。米国特許第４，９５２，０６３号明細書には、図１のシステム１０に対して上記説明したような同じ方法で変調されたポンプビームを試料に加えている。偏光させることのできるあるいは偏光させることのできないプローブビームを、次にこのポンプビームにより加熱される試料の同じスポットに印加する。そして、試料から反射したまたは透過したプローブビームを次に図１のシステム１０のような光検出器で検出する。システム１０に対して上記説明したように異なった周波数を検出して分析する代わりに、米国特許第４，９５２，０６３号の技術は、残留物、欠陥の存在や半導体中のイオンドーパント濃度のレベルを表示するため、そのように反射したまたは透過したプローブビームの強度変化を分析するプロセッサを使用し、そこではそのような変化がポンプビームの周期的な変化と同期している。
【００３２】
図１を参照した上記説明において、検出器の信号出力は三つのフィルタ７２、７４と７６で濾波され、これらのフィルタの出力は次にプロセッサ８０により演算処理される。フィルタ７４と７６はそれぞれ異なった周波数ωm −ωa と２ωm −ωa にロックされたロックイン増幅器により動作する。この代わりに、検出器６８の出力を最初にデジタル化し、デジタル化された信号をプロセッサ８０に供給することもできる。ここではプロセッサ８０は周波数ωm −ωa と２ωm −ωa の信号の強度または振幅に関連する情報または指標を導く。この代わりの方式にも検出器の出力端にある両周波数の高調波の間の差を処理でき、試料の照射線量と照射線量分布を決定するために計算できるという利点がある。そのような変形種や他の変形種は本発明の範囲内にある。
【００３３】
本発明を種々の実施例を参照して上記説明してきたが、付随する請求項とそれに等価なものだけにより規定できる本発明の範囲から逸脱することなく変更や改良を行えることが理解できるであろう。こうして、上記説明で述べた全ての参照事項は参照することにより全体の中に取り込まれている。
【図面の簡単な説明】
【図１】  本発明の実施例を示すドーパントで生じるような、試料中の半導体材料の構造変化を計測するための楕円偏光計および分光楕円偏光計（破線で示す）の模式図である。
【図２】  図１の照射線量計測の動作を示すため信号処理流れ図のブロック図である。
【図３】  本発明を示す試料中のドーパントの照射線量の関数にして楕円偏光パラメータの変化および反射率の変化のグラフ表示である。
【図４】  本発明を示す試料中のドーパントの照射線量の関数にして楕円偏光パラメータの変化および反射率の変化のグラフ表示である。
【図５】  本発明を示す試料中のドーパントの照射線量の関数にして楕円偏光パラメータの変化および反射率の変化のグラフ表示である。
【図６】  本発明を示す試料中のドーパントの照射線量の関数にして楕円偏光パラメータの変化および反射率の変化のグラフ表示である。
【図７】  本発明の好適な実施例を示すドーパントで生じるような試料中の半導体材料の構造変化を計測する多重波長のプローブビームを使用した楕円偏光計の模式図である。
【図８】  本発明を示すドーパントの照射線量を計測し、試料の他の物理特性を計測する組み合わせた機器のブロック図である。
【図１】
0004579423.tif 000014
【図２】
0004579423.tif 000015
【図３】
0004579423.tif 000016
【図４】
0004579423.tif 000017
【図５】
0004579423.tif 000018
【図６】
0004579423.tif 000019
【図７】
0004579423.tif 000020
【図８】
0004579423.tif 000021